(57)【特許請求の範囲】
【請求項１】
少なくとも磁気ギャップを設けた磁気回路と、この磁気回路に結合されたフレームと、このフレームにエッジを介して外周部が結合されるとともに上記磁気ギャップにはめ込まれるコイルを巻回したリング状のボイスコイルボビン部とこのボイスコイルボビン部の上端に一体に逆Ｕ字形のダイアフラム部を形成してなる長径と短径を有するボイスコイルボビン部・ダイアフラム部の一体品とで構成される細長型のスピーカであって、このボイスコイルボビン部・ダイアフラム部の一体品が両端に一対の延伸部を夫々設けた略Ｈ形状のシートを逆Ｕ字形に成形後、上記一対の延伸部間を結合してリング状に形成したものであるスピーカ。
【請求項２】
ダイアフラム部の長径側両端の欠除部に相当する補正カバー部をエッジに一体に設け、ボイスコイルボビン部・ダイアフラム部の一体品に結合した請求項１に記載のスピーカ。
【発明の詳細な説明】
【０００１】
【発明の属する技術分野】
本発明はテレビジョン受像機等の各種映像・音響機器に使用されるスピーカに関するものである。
【０００２】
【従来の技術】
近年、スピーカはテレビジョン受像機においては陰極線管の両脇に取り付けられるため、従来から角型や楕円型等の細長構造のスピーカが用いられてきたが、陰極線管の横長化に伴い、ますますスピーカの幅を狭くすることが求められると共に、画面の高画質化に対応した音声の高音質化が要求されてきている。
【０００３】
このような、従来のスピーカについて図６、図７、図８により説明する。
図６は従来の細長型のスピーカの分解斜視図であり、図７は同要部であるボイスコイルボビン・ダイアフラム一体品の斜視図であり、図８はボイスコイルボビン・ダイアフラム一体品の形成前のシートの状態の斜視図である。
【０００４】
同図によると、１は空気振動を発生する長径と短径とを有する非軸対称の細長形状のダイアフラム部１ａとボイスコイルボビン部１ｂよりなるボイスコイルボビン・ダイアフラム一体品であり、このダイアフラム部１ａの外周部はエッジ２を介してフレーム３に保持されている。ここで、長径側両端のダイアフラムの存在しない部分には補正カバー９ａ，９ｂを貼り付けている。
【０００５】
また、ボイスコイルボビン部１ｂの内周部分に結合した支持板８を介して略Ｓ字状のダンパー７の略中央に結合されフレーム３に振動自在に支持されている。一方、上記フレーム３の中央凹部にはヨーク４、磁石５からなる複数の磁気回路６が設けられ、この磁気回路６の空隙部にボイスコイルボビン部１ｂに固着されたコイル１ｃがはめこまれ、コイル１ｃに流れる駆動電流によりボイスコイルボビン部１ｂがピストン運動し、ダイアフラム部１ａが振動し、音波が放射されるものである。
【０００６】
また、３ａはフレーム３とでエッジ２を挟持するガスケットである。
なお、ボイスコイルボビンとダイアフラムの一体品１は、硬質アルミ、紙、樹脂フィルム等の図８に示すように長方形形状からなるシート１ｄを逆Ｕ字形に成形してダイアフラム部１ａとボイスコイルボビン部１ｂを得、巻回治具にてマグネットワイヤーを巻回してコイル１ｃを得、ボイスコイルボビンとダイアフラムの一体品１として形成していた。
【０００７】
【発明が解決しようとする課題】
しかしながら、上記の従来のボイスコイルボビンとダイアフラムの一体品１は、
１．長方形形状のシートを逆Ｕ字形に成形し、ボイスコイルボビン部１ｂとダイアフラム部１ａを得、コイル１ｃを巻回するため、ボイスコイルの長径側両端の半円状部分はコイル１ｃのみにて構成されているため、強度が弱く、また、コイル１ｃがバラケやすい。
【０００８】
２．長方形形状のシートを逆Ｕ字形に成形し、ボイスコイルボビンとダイアフラムの一体品１を得、コイル１ｃを巻回するため、ダイアフラムの長径側両端の半球状部分のダイアフラムの存在しない部分には、事前又はスピーカの組立工程内において、紙、樹脂等のダイアフラムに適する材料を半球状に成形して得たダイアフラム補正カバー９ａ，９ｂを接着剤を介して貼付けしているため、生産性が悪く、また、ダイアフラム補正カバー９ａ，９ｂおよび接着剤の重量により振動系重量が重くなるため、音圧レベルが低いという課題を有するものであった。
【０００９】
本発明は上記課題を解決するもので、品質の向上、性能の向上を実現でき、さらには、組立てコストの削減をも実現するスピーカを提供するものである。
【００１０】
【課題を解決するための手段】
上記課題を解決するために本発明のスピーカは、少なくとも磁気ギャップを設けた磁気回路と、この磁気回路に結合されたフレームと、このフレームにエッジを介して外周部が結合されるとともに上記磁気ギャップにはめ込まれるコイルが巻回されたリング状のボイスコイルボビン部とこのボイスコイルボビン部の上端に一体に逆Ｕ字形のダイアフラム部を形成してなる長径と短径を有するボイスコイルボビン部・ダイアフラム部の一体品とで構成されるものであって、このボイスコイルボビン部・ダイアフラム部の一体品が両端に一対の延伸部を夫々設けた略Ｈ形状のシートを逆Ｕ字形に成形後、上記一対の延伸部間を結合してリング状に形成したものであり、上記ボイスコイルボビン部をリング状に形成することができたので剛性の向上を図ると共に巻回されたコイルがバラバラになることを防止できるものである。
【００１１】
【発明の実施の形態】
本発明のスピーカの請求項１に記載の発明は、少なくとも磁気ギャップを設けた磁気回路と、この磁気回路に結合されたフレームと、このフレームにエッジを介して外周部が結合されるとともに上記磁気ギャップにはめ込まれたコイルを巻回したリング状のボイスコイルボビン部とこのボイスコイルボビン部の上端に一体に逆Ｕ字形のダイアフラム部を形成してなる長径と短径を有するボイスコイルボビン部・ダイアフラム部の一体品とで形成したものであって、ボイスコイルボビン部・ダイアフラム部の一体品が両端に一対の延伸部を夫々設けた略Ｈ形状のシートを逆Ｕ字形に成形後、上記一対の延伸部間を結合してリング状に形成したものであり、ボイスコイルボビン部をリング状に形成したので剛性の向上を図ると共に巻回されたコイルがバラバラになることを防止できるものである。
【００１２】
本発明の請求項２に記載の発明は、ダイアフラム部の長径側両端の欠除部に相当する補正カバー部をエッジに一体に設け、ダイアフラム部に結合したものであり、補正カバーを削減して生産・組立コストの削減を図るとともに、振動系重量の軽減によって音圧レベルの向上も図れるものである。
【００１３】
以下本発明の一実施の形態について図１〜図３により説明する。
なお、従来技術と同一部分は同一番号を付与し、説明を省略して説明する。
【００１４】
（実施の形態１）
図１は本発明のスピーカの一実施の形態の分解斜視図であり、図２は同要部であるボイスコイルボビン部・ダイアフラム部の一体品の斜視図であり、図３は同加工前の状態を説明するためのシートの斜視図である。
【００１５】
同図によると、１１はボイスコイルボビン部・ダイアフラム部の一体品であり、１１ａは従来のダイアフラム部１ａに相当するダイアフラム部であり、１１ｂは従来のボイスコイルボビン部１ｂに相当するボイスコイルボビン部であり、１１ｃは従来のコイルに相当するコイルであり、従来のボイスコイルボビン部・ダイアフラム部の一体品１との相違点はボイスコイルボビン部１１ｂの両端に一対の延伸部１１ｄ，１１ｅを設けた略Ｈ形状に打ち抜いたシート１１ｆをプレス等による逆Ｕ字形に成形後、上記延伸部１１ｄ間、１１ｅ間をそれぞれ結合してボイスコイルボビン部１１ｂをリング状に形成した点である。
【００１６】
以上のようにしてボイスコイルボビン部・ダイアフラム部の一体品１１のボイスコイルボビン部１１ｂの長径側両端の半円状の部分にもボイスコイルボビン部１１ｂが形成されたので強度の向上が図れ、巻回されたコイル１１ｃがバラバラになることが防止され、品質の安定化が図れるものである。
【００１７】
（実施の形態２）
図４は他の実施の形態の要部であるボイスコイルボビン部・ダイアフラム部の一体品とエッジとの結合状態を説明するための斜視図であり、図５は同要部であるエッジの斜視図である。
【００１８】
同図により、実施の形態１との相違点のみを説明すると、１２は長径側の両端に球面状の補正カバー部１２ａ，１２ｂを設けたエッジであり、内周を上記ボイスコイルボビン部・ダイアフラム部の一体品１１のボイスコイルボビン部１１ｂとダイアフラム部１１ａとの間に接着結合したとき、上記補正カバー部１２ａ，１２ｂもダイアフラム部１１ａの長径側両端に接着結合して上記補正カバー部１２ａ，１２ｂをもダイアフラム部１１ａの一部として機能させようとするものである。
【００１９】
以上の構成によって、従来の別部品である補正カバーを貼り付ける必要がなくなり生産性の向上が図れ、組立コストの低減が図れるとともに外れ等の品質問題も解決され、また補正カバーを接着結合するときの接着剤の重量削減により軽量化が行えて音圧レベルの向上が図れ、外観上の品位向上も図れるものである。
【００２０】
【発明の効果】
本発明のスピーカは、以上のようにボイスコイルボビン部をリング状に形成したので、剛性の向上を図ると共に巻回されたコイルがバラバラになることを防止でき品質の安定化が図れるものである。
【図面の簡単な説明】
【図１】本発明のスピーカの一実施の形態の分解斜視図
【図２】同要部であるボイスコイルボビン部とダイアフラム部の一体品の斜視図
【図３】同加工前のシート状態の斜視図
【図４】同他の実施の形態の要部であるエッジとの結合状態の斜視図
【図５】同要部であるエッジの斜視図
【図６】従来のスピーカの分解斜視図
【図７】同要部であるボイスコイルボビン部とダイアフラム部の一体品の斜視図
【図８】同ボイスコイルボビンとダイアフラムの成形前のシート状態の斜視図
【符号の説明】
３  フレーム
６  磁気回路
９ａ，９ｂ，１２ａ，１２ｂ  補正カバー
１１  ボイスコイルボビン部とダイアフラム部一体品
１１ａ  ダイアフラム部
１１ｂ  ボイスコイルボビン部
１１ｃ  コイル
【図１】
0003812150.tif 000002
【図２】
0003812150.tif 000003
【図３】
0003812150.tif 000004
【図４】
0003812150.tif 000005
【図５】
0003812150.tif 000006
【図６】
0003812150.tif 000007
【図７】
0003812150.tif 000008
【図８】
0003812150.tif 000009